(57)【要約】【課題】  透光調整層２ｆのドットグラデーション印刷時に、多少の印刷不良が起こっても文字板２の歩留まりを抑制する事が可能な透過照明式指示計器１００を提供する事。【解決手段】  文字板２と、光源３と、指針駆動部４とからなる透過照明式指示計器１００であって、文字板２は、透光性基板２ｃと、透光性基板２ｃの裏面側に形成され、透光を暈かす暈かし層２ｅと、暈かし層２ｅの裏面側に形成され、グラデーション模様を印刷される透光調整層２ｆとを有する事を特徴とする事により、透光調整層２ｆに形成されるグラデーション模様に多少の印刷不良があっても、暈かし層２ｅにより透光が暈かされ、印刷不良が判明し難くなる為、多少、グラデーション模様に印刷不良がある文字板２でも製品として用いる事が可能となり、文字板２の歩留まりを抑制する事が可能となる。【選択図】  図５
2005227108.tif 000002
【特許請求の範囲】
【請求項１】
表面に指示目盛りが形成される文字板（２）と、
前記指示目盛りを指示する指針（４ａ）と、前記指針（４ａ）を回動する内機（４ｂ）とからなる指針駆動部（４）と、
前記文字板（２）の裏面側に配置される光源（３）とからなる透過照明式指示計器であって、
前記文字板（２）は、表面に前記指示目盛りが形成された透光性基板（２ｃ）と、
前記透光性基板（２ｃ）の裏面側に形成され、透過光を暈かす透光性部材からなる暈かし層（２ｅ）と、
前記暈かし層（２ｅ）の裏面側に形成され、ドットグラデーションが印刷される透光調整層（２ｆ）とを有する事を特徴とする透過照明式指示計器。
【請求項２】
前記暈かし層（２ｅ）は、透光性の着色層である事を特徴とする請求項１に記載の透過照明式指示計器。
【請求項３】
前記透光性基板（２ｃ）の表面は、一部の領域のみ光が透過するように形成される事を特徴とする請求項１または２に記載の透過照明式指示計器。
【請求項４】
前記一部の領域は、前記指針（４ａ）が回動可能な領域である事を特徴とする請求項３に記載の透過照明式指示計器。
【発明の詳細な説明】
【技術分野】
【０００１】
本発明は、文字板の裏面側に光源を配置し、夜間、光源の光が文字板の裏面側から表面側へと透過する事によって文字板の目盛り、数字、文字又は記号等が視認出来る透過照明式指示計器に関する。
【背景技術】
【０００２】
従来、特許文献１に示すように、ドットグラデーションを印刷して、透過光を調整する事で奥行き感を感じさせる事が可能な透過照明式指示計器がある。
【０００３】
この透過照明式指示計器は、目盛り、数字、文字又は記号等を印刷した文字板と、この文字板の目盛り、数字、文字又は記号等を指示する指針駆動部と、文字板の裏面側に配置される光源とからなる。
【０００４】
この文字板は、大別して表面に目盛り、数字、文字又は記号等を印刷した高い透光性部材の透光性基板と、奥行き感を感じさせる為に透光性基板の裏面に光源からの光を調整する為に、ドットグラデーションを印刷した透光調整層とを有し、また、この透光調整層の端部などの一部分を文字板の表面側から見えないように修正するための不透光の白色層を透光性基板と透光調整層との間に、必要に応じて有している。
【特許文献１】特許３１３６３９５号公報
【発明の開示】
【発明が解決しようとする課題】
【０００５】
しかし、文字板を製造する工程で、透光調整層としてドットグラデーションを印刷する際、各ドットがつながってしまう、または転写不良が起こるなどの印刷不良が発生する場合がある。
【０００６】
もし、ドットグラデーションの印刷不良が発生した文字板を製品として用いた場合、従来なら、その印刷不良部分がそのまま文字板の表面側から透光性基板を通して見えてしまう。
【０００７】
その為、ドットグラデーションの印刷不良が発生した文字板は廃棄してしまうので、文字板の歩留まりが悪いと言う問題があった。
【０００８】
本発明は、上述した不具合を解消し、ドットグラデーションの印刷時に、多少の印刷不良が起こっても、歩留まりを抑制する事が可能な透過照明式指示計器を提供する事を目的とする。
【課題を解決するための手段】
【０００９】
本発明は上記目的を達成するために、以下の技術的手段を採用する。
【００１０】
請求項１に記載の透過照明式指示計器は、表面に指示目盛りが形成される文字板と、指示目盛りを指示する指針と、指針を回動する内機とからなる指針駆動部と、文字板の裏面側に配置される光源とからなる透過照明式指示計器であって、文字板は、表面に指示目盛りが形成された、透光性基板と、透光性基板の裏面側に形成され、透過光を暈かす透光性部材からなる暈かし層と、暈かし層の裏面側に形成され、ドットグラデーションが印刷される透光調整層とを有する事を特徴とする。
【００１１】
この発明により、透光調整層は暈かし層と重ねられているため、ドットグラデーションの印刷に多少の印刷不良が生じていても、暈かし層により透光調整層に到達する透光が暈かされる為、透光調整層のドットグラデーションの印刷不良が判明し難くなる為、多少の印刷不良のドットグラデーションが印刷された文字板も製品として用いる事が可能となり、文字板の歩留まりを抑制する事が可能となる。
【００１２】
請求項２に記載の透過照明式指示計器における暈かし層は、透光性の着色層である事を特徴とする。
【００１３】
この発明により、着色すると言う簡易な方法によって、暈かし層を透光を暈かす事が出来る層にする事が可能となる。
【００１４】
請求項３に記載の透過照明式指示計器における透光性基板の表面は、一部の領域のみ光が透光するように形成される事を特徴とする。
【００１５】
この発明により、透光調整層のドットグラデーションは、文字板として奥行き感を感じさせるのに必要な領域にのみ印刷すれば良くなり、文字板の製造コストを抑制する事が可能となる。
【００１６】
請求項４に記載の透過照明式指示計器を構成する文字板の透光性基板における一部の領域は、指針が回動可能な領域である事を特徴とする。
【００１７】
この発明により、より効果的に奥行き感を感じさせることが可能になる。
【発明を実施するための最良の形態】
【００１８】
（構成）
以下、本発明の実施の形態を図面に基づいて説明する。
【００１９】
図１は、図示しない車両のインスツルメンツパネル内に内蔵される透過照明式指示計器１００の要部の正面図、図２は、図１に図示するＡ−Ａ線による断面図、図３は、図２に図示するＢ部分の拡大図をそれぞれ示している。
【００２０】
本発明の透過照明式指示計器１００の構成を図２を用いて説明する。透過照明式指示計器１００は、メーターケース１と、文字板２と、光源３と、指針４ａおよび内機４ｂからなる指針駆動部４と、拡散板５と、見返し板６と、フロントガラス７とからなる。
【００２１】
メーターケース１は、後述する文字板２、光源３、内機４ｂ、拡散板５とを内蔵する椀型のプラスチックケースである。
【００２２】
文字板２は、７層からなる指示計器盤である。文字板２を形成する７層を図３を用いて詳述する。文字板２を形成する７層とは以下の７つである。
（１）黒色印刷層２ａ
（２）色印刷層２ｂ
（３）透光性基板２ｃ
（４）白色層２ｄ
（５）暈かし層２ｅ
（６）透光調整層２ｆ
（７）遮光層２ｇ
【００２３】
（１）の黒色印刷層２ａは、後述する透光層２ｃに印刷される目盛り、数字、文字又は記号等などの意匠領域を視覚的に強調する為に、目盛り、数字、文字又は記号等の意匠を縁取るように透光層２ｃ上に印刷される黒色インクの印刷領域である。
【００２４】
（２）の色印刷層２ｂは、後述する透光層２ｃに印刷される目盛り、数字、文字又は記号等の意匠領域以外の領域に印刷される任意の色彩インクの印刷領域である。後述する光源３から文字板２の表面側へ透過する光に任意の色を付加する為に印刷される。
【００２５】
（３）の透光性基板２ｃは、目盛り、数字、文字又は記号等の意匠領域が印刷される高い透光性部材（例えばポリカーボネート又はアクリル樹脂など）からなる基板である。
【００２６】
（４）の白色層２ｄは、透光性基板２ｃの表面側から後述する透過光調整層（ドットグラデーションを印刷した層）の任意の領域を見えなくする為の層である。この白色層２ｄを予めドットグラデーションが不要な領域に印刷しておく事により、透光性基板２ｃの全面にドットグラデーションを印刷する事が可能となるので、ドットグラデーションが必要な領域と不要な領域とに分けて印刷すると言う手間を省く事が可能となる。
【００２７】
（５）の暈かし層２ｅは、文字板２の裏面から表面へと透過する光、または文字板２の表面から入射し、後述する透光調整層２ｆにて反射し、再度、表面側へと再透過する光を鈍化させる事が可能な透光性を持つインクの印刷領域である。この透光調整層２ｆは、透光性基板２ｃの裏面の全面に形成されている。この暈かし層２ｅをインクを印刷する事によって形成する場合、用いるインクの色彩は白色等が望ましい事が発明者の研究によって判明している。
【００２８】
この暈かし層２ｅと、上述した白色層２ｄは、同様に白色インク層にて形成する事が可能であるが、白色層２ｄには透光性がなく、単なる遮光層であるのに対し、暈かし層２ｅは、透光性があり、磨りガラス的な役目を果たす。
【００２９】
（６）の透光調整層２ｆは、上述した暈かし層２ｅの裏面に印刷によって形成されるグラデーション層である。この透光調整層２ｆは、図１に示す透過照明式指示計器１００において、複数の黒点にて濃淡を示す領域Ｃに対応する。
【００３０】
図４に、透光調整層２ｆを表面の一部を例示する。この透光調整層２ｆは、文字板２の裏面側から表面側へ透過する光、または表面側から透過し、透光調整層２ｆにて反射し、再度表面側へと再透過する光の透過量を、上述した透光性基板２ｃの平面に沿って徐々に変化するよう構成されている。
【００３１】
（７）の遮光層２ｇは、透光調整層２ｆの裏面に、透光調整層２ｆが形成されている領域、及び、透光性基板２ｃの目盛り、数字、文字又は記号等の意匠が形成される領域を除いた領域に光源３からの光が透過しないように光を遮る為に形成される層である。この遮光層２ｇをインクの印刷によって形成する場合は、黒色インクの印刷によって形成する事が望ましい。
【００３２】
以上の７層によって文字板２は形成されている。
【００３３】
他の構成要素を説明する為、図２に戻る。
【００３４】
光源３は、文字板２の裏面側に配されるバルブ、冷陰極管、ＬＥＤ又はＥＬなどの電気的発光部品である。
【００３５】
指針駆動部４は、指針４ａと内機４ｂとからなる機構部品である。指針４ａは、内機４ｂの回動指示にて回動する情報表示部品の１つである。内機４ｂは図示しない車両制御装置と電気的に接続しており、この車両制御装置からの送信される情報を指針４ａの回転角度に変換するととともに、変換した回転角度で指針４ａを回動するＥＣＵである。
【００３６】
拡散板５は、ポリカーボネート又はアクリル樹脂などで形成され、光源３が放つ光を均一化して文字板２の裏面に入射させる光量調整層、または導光層である。
【００３７】
見返し板６は、文字板２の周縁部に配設され、文字板２の奥行き感をより一層感じさせる為の視覚強調部品である。
【００３８】
フロントガラス７は、見返し板６に取り付けて文字板２の表面及び指針４ａを覆う無色透明のプラスチック板である。
【００３９】
（作動）
上述した構成の透過照明式指示計器１００において、文字板２を構成する透光性基板２ｃの裏面に透光調整層２ｆとしてドットグラデーションを印刷する際に、多少の印刷不良が起こっても、文字板２そのものの歩留まりを抑制する作動について、図５、図６を用いて説明する。
【００４０】
図５は、光源３が無点灯時で、文字板２に外側から光が入射した状況（すなわち昼間）を示す説明図である。説明を簡易にする為、入射光を光α、反射光を光βと示す。
【００４１】
外から入射した光αは、文字板２を構成する色印刷層２ｂ、透光性基板２ｃ、暈かし層２ｅを順に透過し、透光調整層２ｆに到達する。
【００４２】
透光調整層２ｆに到達した光αは、透光調整層２ｆのドットグラデーションにて反射し、今度は、光βとして暈かし層２ｅ、透光性基板２ｃ、色印刷層２ｂを順に透過し、ユーザーの目に届く。
【００４３】
ここで、透光調整層２ｆのドットグラデーションに多少の印刷不良、例えば各ドットがつながっている、または転写不良などがあっても、光βが透光調整層２ｆの表面側に形成される暈かし層２ｅを透過する際に暈かされてしまうので、ユーザーの目には印刷不良箇所が鮮明には写り難くなる。
【００４４】
図６は、光源３が点灯時で、文字板２に裏面側から光が入射した状況（すなわち夜間）を示している。説明を簡易にする為、光源３から発せられ、文字板２の裏面側から表面側へ透過し、ユーザーの目に届く光を光γと示す。
【００４５】
光γは、まず拡散板５を経て、次に文字板２を構成する透光調整層２ｆ、暈かしそう２ｅ、透光性基板２ｃ、色印刷層２ｂの順に透過し、ユーザーの目に届く。
【００４６】
光γが透光調整層２ｆを透過する際に、当然光γは透光調整層２ｆのグラデーション模様を投影しつつ進むが、透光調整層２ｆの表面に形成される暈かし層２ｅにて、その投影されたグラデーション模様が暈かされてしまうので、透光調整層２ｆにもし印刷不良などがあり、それが正確に投影されていたとしても、ユーザーの目には、その印刷不良箇所は鮮明に届き難くなる。
【００４７】
（作用効果）
上述した（構成）と（作動）とにより、透光調整層２ｆの印刷時に、多少の印刷不良が起こっても文字板２の歩留まりを抑制する事が可能な透過照明式指示計器１００を提供する事が可能となる。
【００４８】
また、暈かし層２ｅが透光調整層２ｆのグラデーション模様の投影を暈かす事により、透光調整層２ｆのグラデーションの模様の連続性を滑らかなものにし、より見栄えを向上する事も可能となる。
【００４９】
さらに、特許文献１に示される透過照明式指示計器では、昼間（すなわち、光源３が無点灯時で、文字板２に外側から光が入射する場合）と、夜間（光源３が点灯時で、光源３から発せられる光が文字板２の裏面から表面へと透過する場合）とでは見栄えが異なるが、この「見栄えが異なる」とはグラデーション模様が夜間のみユーザーの目に届くと言う事である。
【００５０】
しかし、本発明の透過照明式指示計器１００は、夜間の場合と同様に昼間でもグラデーション模様がユーザーの目に届くようになる。
【図面の簡単な説明】
【００５１】
【図１】本発明の透過照明式指示計器１００の要部の正面図である。
【図２】図１に図示するＡ−Ａ線による断面図である。
【図３】図２に図示するＢ部分の拡大図である。
【図４】本発明の透過照明式指示計器１００を構成する文字板２のドットグラデーション層２ｆの表面の例示図である。
【図５】本発明の透過照明式指示計器１００の昼間時における暈かし層２ｅの効果を説明する説明図である。
【図６】本発明の透過照明式指示計器１００の夜間時における暈かし層２ｅの効果を説明する説明図である。
【符号の説明】
【００５２】
１      メーターケース
２      文字板
２ａ    黒色印刷層
２ｂ    色印刷層
２ｃ    透光性基板
２ｄ    白色層
２e    暈かし層
２ｆ    透光調整層
２ｇ    遮光層
３      光源
４      指針駆動部
５      拡散板
６      見返し板
７      フロントガラス
１００  透過照明式指示計器
【図１】
2005227108.tif 000003
【図２】
2005227108.tif 000004
【図３】
2005227108.tif 000005
【図４】
2005227108.tif 000006
【図５】
2005227108.tif 000007
【図６】
2005227108.tif 000008